(57)【要約】【課題】スキー滑走路の雪状態が監視可能にする制御システムを提供する。【解決手段】スキー滑走路に沿って配置されており且つ通信ライン（１０２）に接続されている複数の雪製造機器（１０１）を有する人工雪製造プラント（１００）を制御するためのシステム（１）は、通信ライン（１０２）にデータ接続されているプロセシングユニット（２）を備える。プロセシングユニット（２）は、関連した雪製造機器（１０１）によって現時点で製造された雪の量を表す状況信号（Ｓ）を、各々の雪製造機器（１０１）から受信し、各々の状況信号（Ｓ）中に含まれるデータを、到達されるべきそれぞれの予め定められた単一雪製造値（Ｐｆ）と比較し、この比較に応じて機器（１０１）の状態信号（Ｐ）を生成し、スキー滑走路の状態信号（Ｐ）を、機器（１０１）の状態信号（Ａ）の内容に応じて生成する。【選択図】図１
2014070891.tif 000002
【特許請求の範囲】
【請求項１】
スキー滑走路に沿って配置され、且つ通信ライン（１０２）に接続される複数の雪製造機器（１０１）を有する人工雪製造プラント（１００）を制御するためのシステム（１）であって、
前記通信ライン（１０２）に接続されたプロセシングユニット（２）を備え、
前記プロセシングユニット（２）は、
関連する前記雪製造機器（１０１）によって現時点で製造された雪の量を表す状況信号（Ｓ）を、前記雪製造機器（１０１）の各々から受信し、
状況信号（Ｓ）の各々に含まれるデータを、予め定められた到達すべき単一雪製造値（Ｐｆ）の各々と比較し、予め設定された製造すべき雪の量を表し、
前記比較に応じて、前記機器（１０１）の状態信号（Ａ）を生成し、
前記機器（１０１）の前記状態信号（Ａ）の内容に応じて、前記スキー滑走路の状態信号（Ｐ）を生成する
ように構成され、
前記機器（１０１）の前記状態信号（Ａ）は、各機器（１０１）によって現時点で製造された雪の量と前記単一雪製造値（Ｐｆ）の各々との間の差を表し、
前記スキー滑走路の状態信号（Ｐ）は、前記スキー滑走路の現時点の雪状況を表す、制御システム。
【請求項２】
前記プロセシングユニット（２）は、
前記単一雪製造値（Ｐｆ）の各々よりも大きい雪の量を現時点で製造した機器（１０１）の数を決定し、
決定された前記機器（１０１）の数を、予め定められた最小破綻値（Ｐｆ）と比較し、
前記比較に応じて、前記スキー滑走路の前記状態信号（Ｐ）を決定する
ように構成されていることを特徴とする、請求項１に記載の制御システム。
【請求項３】
前記プロセシングユニット（２）は、さらに、
状況信号（Ｓ）の各々に含まれるデータを、予め定められた最小雪製造値（Ｐｍｉｎ）の各々と比較し、
前記比較に応じて、前記機器（１０１）の前記状態信号（Ａ）を変更する
ように構成され、
前記予め定められた最小雪製造値（Ｐｍｉｎ）は、最小の雪の量を表しており、前記単一雪製造値（Ｐｆ）よりも小さいことを特徴とする、請求項１または２に記載の制御システム。
【請求項４】
前記予め定められた最小雪製造値（Ｐｍｉｎ）は、時間経過において変動する基準曲線によって定義され、
前記状況信号（Ｓ）の各々に含まれる前記データと、前記最小雪製造値（Ｐｍｉｎ）との比較は、前記状況信号（Ｓ）の各々に含まれるデータを参照して、予め定められた時間的瞬間（Ｄａ）で、周期的に行われるとともに、前記最小雪製造値（Ｐｍｉｎ）は、予め定められた同じ前記時間的瞬間（Ｄａ）で参照されることを特徴とする、請求項１から３のいずれか一項に記載の制御システム。
【請求項５】
前記プロセシングユニット（２）に接続されている記憶ユニット（４）を備え、
前記記憶ユニット（４）において、前年において前記雪製造機器（１０１）によって製造された雪の量に関するデータは、現在の期間に対応する年間期間に関連して記憶されることを特徴とする、請求項１から４のいずれか一項に記載の制御システム。
【請求項６】
前記プロセシングユニット（２）は、前記機器（１０１）の前記状態信号（Ａ）における前記状況信号（Ｓ）に含まれるデータと、前記記憶ユニット（４）内に含まれるデータと、に応じて、総合雪製造値に達するための総合残余雪製造時間を計算するように構成され、
前記総合雪製造値は、単一雪製造値（Ｐｆ）の合計によって定義されることを特徴とする、請求項５に記載の制御システム。
【請求項７】
前記プロセシングユニット（２）は、
前記状況信号（Ｓ）に含まれるデータと、前記機器（１０１）の前記状態信号（Ａ）に含まれるデータと、前記記憶ユニット（４）内に含まれるデータと、に応じて、前記予め定められた単一雪製造値（Ｐｆ）に達するための、前記機器（１０１）の各々に関する残余単一雪製造時間（ＴＩＮＮ）を計算し、
算出された前記単一雪製造時間（ＴＩＮＮ）の間で、最大の残余単一雪製造時間（ＴＩＮＮ）を識別する
ように構成され、
総合値に達するための総合残余雪製造時間は、算出された前記最大の残余単一雪製造時間（ＴＩＮＮ）によって定義されることを特徴とする、請求項６に記載の制御システム。
【請求項８】
前記プロセシングユニット（２）は、前記機器（Ａ）の前記状態信号に含まれるデータと、前記記憶ユニット（４）内に含まれるデータと、に応じて、前記単一雪製造値（Ｐｆ）に達するための、製造すべき残余雪量（ＰＲＩＭ）を計算するように構成されていることを特徴とする、請求項１から７のいずれか一項に記載の制御システム。
【請求項９】
前記プロセシングユニット（２）は、予め定められた温度範囲内において前記機器の現時点の雪製造に応じて、残余単一雪製造時間（ＴＩＮＮ）を計算するように構成され、
前記残余単一雪製造時間（ＴＩＮＮ）は、
同一の温度範囲内の現在の期間に対応する期間内において過去に製造された雪の平均量（ＰＳＴＯ）を表す平均履歴流量値（ＦＳＴＯ）によって、残余雪量（ＰＲＩＭ）の値を除算し、
この除算の結果に、特定の区域を雪で覆うために過去に前記機器（１０１）が要した平均時間に関する履歴単一雪製造時間（ＴＩＮＮ−ＳＴＯ）を乗算する
ことによって、計算され、
前記平均履歴流量値（ＦＳＴＯ）、前記履歴平均量（ＰＳＴＯ）、および前記履歴単一雪製造時間（ＴＩＮＮ−ＳＴＯ）は、前記記憶ユニット（４）内に記憶されることを特徴とする、請求項８に記載の制御システム。
【請求項１０】
前記記憶ユニット（４）が、現在の年の期間に対応する年の期間内の雪製造に関するデータを含まない場合には、前記プロセシングユニット（２）は、予め定められた温度範囲内における最大単一雪製造時間（ＴＩＮＮ−ＭＡＸ）と最小単一雪製造時間（ＴＩＮＮ−ＭＩＮ）とを計算するように構成されており、
前記最大単一雪製造時間（ＴＩＮＮ−ＭＡＸ）は、予め定められた最小流量値（ＦＭＩＮ）によって、残余雪量値（ＰＲＩＭ）を除算することによって計算され、
前記最小流量値（ＦＭＩＮ）は、前記温度範囲内において第１のタイプの雪製造機器（１０１）によって、単位時間内に製造可能な雪の量を表し、
前記最小単一雪製造時間（ＴＩＮＮ−ＭＩＮ）は、予め定められた最大流量値（ＦＭＡＸ）によって、残余雪量値（ＰＲＩＭ）を除算することによって計算され、
前記最大流量値（ＦＭＡＸ）は、前記温度範囲内において第２のタイプの雪製造機器（１０１）によって製造可能な雪の量を表し、
残余単一雪製造時間（ＴＩＮＮ）は、前記最大単一雪製造時間（ＴＩＮＮ−ＭＡＸ）と前記最小単一雪製造時間（ＴＩＮＮ−ＭＩＮ）との間にあり、
前記第１のタイプの機器（１０１）は、前記第２のタイプの機器（１０１）よりも低い雪製造性能を有することを特徴とする、請求項５から８のいずれか一項に記載の制御システム。
【請求項１１】
前記プロセシングユニット（２）に接続されたグラフィクスインタフェース（５）を備え、
前記グラフィクスインタフェース（５）は、
最終的な総合雪製造値に達するための総合残余雪製造時間と、
単一雪製造値（Ｐｆ）に達するための残余単一雪製造時間（ＴＩＮＮ）と、
前記機器（１０１）の状態信号（Ａ）の内容と、
前記スキー滑走路の状態信号（Ｐ）の内容と、
前記雪製造プラント（１００）が沿って設けられている地理的マップと、
をリアルタイムで表示することを特徴とする、請求項１から１０のいずれか一項に記載の制御システム。
【請求項１２】
前記雪製造機器（１０１）によって製造される雪の量は、該雪製造機器（１０１）の各々に供給される雪製造液体の量に応じて計算され、
前記状況信号（Ｓ）の内容は、前記機器（１０１）によって現在消費されている雪製造液体の量によって定義され、
前記単一雪製造値（Ｐｆ）および総合雪製造値は、前記機器（１０１）に供給されるべき雪製造液体の量によって定義されることを特徴とする、請求項１から１１のいずれか一項に記載の制御システム。
【請求項１３】
複数の雪製造機器（１０１）を備え、
前記雪製造機器（１０１）の各々は、
雪製造液体を供給するためのユニット（１０４）と、
人工雪を製造するための雪製造装置（１０３）と、を備え、
前記雪製造装置（１０３）は、前記雪製造液体を引き込むために前記ユニット（１０４）に接続されている、人工雪製造プラント（１００）において、
請求項１から１２のいずれか一項に記載の制御システムを備えることを特徴とする、人工雪製造プラント。
【請求項１４】
雪製造機器（１０１）の各々によって製造される雪の量は、前記雪製造液体を供給するための、関連する前記ユニット（１０４）内を通過する雪製造液体の量に基づいて計算されることを特徴とする、請求項１３に記載の雪製造プラント。
【発明の詳細な説明】
【技術分野】
【０００１】
本発明は、人工雪製造プラントのための制御システムに関する。さらに特に、本発明は、スキー滑走路に沿って配置されており且つ通信ラインに接続されている複数の雪製造機器を有する人工雪製造プラントに関する。
【背景技術】
【０００２】
天然雪の欠如を補填するための、または、スキー滑走路の積雪下層を形成するための、スキー滑走路に沿った人工雪製造システムの設置が公知である。さら特に、各々の雪製造機器は、雪製造装置（一般的に「スノーキャノン（ｓｎｏｗ  ｃａｎｎｏｎ）」と呼ばれている）と、関連の雪製造装置に連結されている雪製造液体を供給するためのそれぞれのユニット（一般的に「チャンバ」として知られている）とを備える。
【０００３】
さらに詳細に述べると、この雪製造装置は、雪製造液体を供給するためのそれぞれのユニットに隣接して配置され、および、スキー滑走路の予め定められた地理的な雪製造区域を有効範囲に含む。したがって、この説明では、雪製造機器は、予め定められた地理的な雪製造区域を有効範囲に含む、雪製造装置（スノーキャノン）と雪製造液体を供給するためのユニット（チャンバ）とのアセンブリを定義する、概括的な術語である。一連の地理的な雪製造区域がスキー滑走路の表面を画定する。
【０００４】
従来の技術では、雪製造機器は、下流に配置されているかまたは適切に画定された場所にある制御ステーションから雪製造機器を制御するように、通信ラインに接続されている。さらに詳細に述べると、従来技術の制御システムは、雪製造機器の状況を制御するように、且つ様々な気象条件に応じて動作を制御するように構成されている、通信ラインに接続されているプロセシングユニットを備える。
【０００５】
しかし、この従来技術は短所を有する。
【０００６】
実際には、この制御システムは、一般的に、スキー滑走路の雪状態が検査されることを可能にしない。この理由から、雪製造機器が、スキー滑走路を公衆に対して公開するために必要な雪よりも多くの雪を製造すること、または、スキー滑走路を公衆に対して公開するための十分な量の雪を製造しないことが生じる。他の場合には、主要な欠点が、スキー滑走路の特定の区域内では、スキー滑走路を公衆に対して公開するために必要な雪よりも多くの雪が存在するが、一方、スキー滑走路の他の区域内では、スキー滑走路を公開するための十分な量の雪が存在しないということにある。
【発明の概要】
【発明が解決しようとする課題】
【０００７】
この状況において、本発明の目的は、従来技術の欠点を克服する、人工雪製造プラントのための制御システムを提供することである。さらに詳細に述べると、本発明の目的は、スキー滑走路の雪状態が監視されることを可能にする制御システムを提供することである。
【０００８】
さらに、本発明の目的は、スキー滑走路を雪で覆うための時間が推定されることを可能にする制御システムを提供することである。最後に、本発明の目的は、予め定められた最小レベルよりも低い積雪レベルを有するスキー滑走路の地理的区域が識別されることを可能にする制御システムを提供することである。
【課題を解決するための手段】
【０００９】
これらの目的は、添付されている特許請求の範囲に記載されている人工雪製造プラントのための制御システムによって実質的に実現される。
【００１０】
具体的には、本発明の一態様において、制御システムは、スキー滑走路に沿って配置され、且つ通信ラインに接続される複数の雪製造機器を有する人工雪製造プラントを制御するためのものであって、通信ラインに接続されたプロセシングユニットを備える。
【００１１】
このプロセシングユニットは、関連する雪製造機器によって現時点で製造された雪の量を表す状況信号を、雪製造機器の各々から受信し、状況信号の各々に含まれるデータを、予め定められた到達すべき単一雪製造値の各々と比較し、予め設定された製造すべき雪の量を表し、比較に応じて、機器の状態信号を生成し、機器の状態信号の内容に応じて、スキー滑走路の状態信号を生成するように構成される。
【００１２】
また、機器の状態信号は、各機器によって現時点で製造された雪の量とそれぞれの単一雪製造値との間の差を表し、スキー滑走路の状態信号は、スキー滑走路の現時点の雪状況を表す。
【００１３】
プロセシングユニットは、単一雪製造値の各々よりも大きい雪の量を現時点で製造した機器の数を決定し、決定された機器の数を、予め定められた最小破綻値と比較し、比較に応じて、スキー滑走路の状態信号を決定するように構成されててもよい。
【００１４】
プロセシングユニットは、状況信号の各々に含まれるデータを、予め定められた最小雪製造値の各々と比較し、比較に応じて、機器の状態信号を変更するように構成されてもよい。この場合において、予め定められた最小雪製造値は、最小の雪の量を表しており、単一雪製造値よりも小さくてもよい。
【００１５】
予め定められた最小雪製造値は、時間経過において変動する基準曲線によって定義されてもよい。この場合において、状況信号の各々に含まれるデータと、最小雪製造値との比較は、状況信号の各々に含まれるデータを参照して、予め定められた時間的瞬間で、周期的に行われるとともに、最小雪製造値は、予め定められた同じ時間的瞬間で参照されてもよい。
【００１６】
制御システムは、プロセシングユニットに接続されている記憶ユニットを備えてもよい。この記憶ユニットにおいて、前年において雪製造機器によって製造された雪の量に関するデータは、現在の期間に対応する年間期間に関連して記憶されてもよい。
【００１７】
プロセシングユニットは、機器の状態信号における状況信号に含まれるデータと、記憶ユニット内に含まれるデータとに応じて、総合雪製造値に達するための総合残余雪製造時間を計算するように構成されてもよい。この場合において、総合雪製造値は、単一雪製造値の合計によって定義されてもよい。
【００１８】
プロセシングユニットは、状況信号に含まれるデータと、機器の状態信号に含まれるデータと、記憶ユニット内に含まれるデータとに応じて、予め定められた単一雪製造値に達するための、機器の各々に関する残余単一雪製造時間を計算し、算出された単一雪製造時間の間で、最大の残余単一雪製造時間を識別するように構成されてもよい。ここで、総合値に達するための総合残余雪製造時間は、算出された最大の残余単一雪製造時間によって定義されてもよい。
【００１９】
プロセシングユニットは、機器の状態信号に含まれるデータと、記憶ユニット内に含まれるデータとに応じて、単一雪製造値に達するための、製造すべき残余雪量を計算するように構成されてもよい。
【００２０】
プロセシングユニットは、予め定められた温度範囲内において機器の現時点の雪製造に応じて、残余単一雪製造時間を計算するように構成されてもよい。ここで、残余単一雪製造時間は、同一の温度範囲内の現在の期間に対応する期間内において過去に製造された雪の平均量を表す平均履歴流量値によって、残余雪量の値を除算し、この除算の結果に、特定の区域を雪で覆うために過去に機器が要した平均時間に関する履歴単一雪製造時間を乗算することによって計算されてもよい。また、平均履歴流量値、履歴平均量、および履歴単一雪製造時間は、記憶ユニット内に記憶されてもよい。
【００２１】
記憶ユニットが、現在の年の期間に対応する年の期間内の雪製造に関するデータを含まない場合には、プロセシングユニットは、予め定められた温度範囲内における最大単一雪製造時間と最小単一雪製造時間とを計算するように構成されてもよい。
【００２２】
この場合において、最大単一雪製造時間は、予め定められた最小流量値によって、残余雪量値を除算することによって計算されてもよい。ここで、最小流量値は、温度範囲内において第１のタイプの雪製造機器によって、単位時間内に製造可能な雪の量を表す。
【００２３】
また、最小単一雪製造時間は、予め定められた最大流量値によって、残余雪量値を除算することによって計算されてもよい。ここで、最大流量値は、温度範囲内において第２のタイプの雪製造機器によって製造可能な雪の量を表す。
【００２４】
また、残余単一雪製造時間は、最大単一雪製造時間と最小単一雪製造時間との間にあり、第１のタイプの機器は、第２のタイプの機器よりも低い雪製造性能を有してもよい。
【００２５】
制御システムは、プロセシングユニットに接続されたグラフィクスインタフェースを備えてもよい。このグラフィクスインタフェースは、最終的な総合雪製造値に達するための総合残余雪製造時間と、単一雪製造値に達するための残余単一雪製造時間と、機器の状態信号の内容と、スキー滑走路の状態信号の内容と、雪製造プラントが沿って設けられている地理的マップとを、リアルタイムで表示してもよい。
【００２６】
雪製造機器によって製造される雪の量は、該雪製造機器の各々に供給される雪製造液体の量に応じて計算されてもよい。この場合において、状況信号の内容は、機器によって現在消費されている雪製造液体の量によって定義されてもよい。また、単一雪製造値および総合雪製造値は、機器に供給されるべき雪製造液体の量によって定義されてもよい。
【００２７】
本発明の他の態様において、人工雪製造プラントは、複数の雪製造機器を備え、雪製造機器の各々は、雪製造液体を供給するためのユニットと、人工雪を製造するための雪製造装置とを備える。雪製造装置は、雪製造液体を引き込むためにユニットに接続されている。ここで、この人工雪製造プラントは、上述した制御システムを備える。雪製造機器の各々によって製造される雪の量は、雪製造液体を供給するための、関連するユニット内を通過する雪製造液体の量に基づいて計算されてもよい。
【００２８】
さらに、本発明の特徴的な特徴要素と利点とが、添付図面に示されている人工雪製造プラントのための制御システムの非排他的な好ましい実施形態の詳細な説明から、より明確になるだろう。
【図面の簡単な説明】
【００２９】
【図１】図１は、本発明による人工雪製造プラントのための制御システムの概略図である。
【図２】図２は、スキー滑走路の積雪の状態に関するグラフ曲線の概略図である。
【発明を実施するための形態】
【００３０】
上記の図を参照すると、番号１は、人工雪製造プラント１００のための制御システムをその全体において示す。
【００３１】
上記において定義したように、人工雪製造プラント１００は、複数の雪製造機器１０１を備える。これら雪製造機器１０１は、スキー滑走路に沿って配置されており、且つ通信ライン１０２に直列に接続されている。
【００３２】
さらに詳細に述べると、各々の雪製造機器１０１は、雪製造装置１０３（一般的には「スノーキャノン」と呼ばれている）と、この雪製造装置１０３に連結されていた、雪製造液体を供給するためのそれぞれのユニット１０４（一般的に「チャンバ」として知られている）とを備える。図１は、データライン１０７によって通信ライン１０２に接続された、機器１０１の雪製造装置１０３を示す。さらに、供給ユニット１０４の各々は、導管１０５によって雪製造装置１０３に連結されている。雪製造液体は、導管１０５内を流れる。
【００３３】
さらに詳細に述べると、雪製造装置１０３は、雪製造液体を供給するための各ユニット１０４に近接して配置されており、スキー滑走路の予め定められた地理的な雪製造区域をカバーする。
【００３４】
制御システム１は、通信ライン１０２とデータ接続しているプロセシングユニット２を備える。さらに詳細に述べると、このプロセシングユニット２は、各雪製造機器１０１から状況信号Ｓを受信するように構成されている。
【００３５】
状況信号Ｓは、雪製造機器１０１によって現時点で製造された雪の量を表す。言い替えると、状況信号Ｓは、雪製造機器１０１が製造した雪の量を表す。さらに詳細に述べると、状況信号Ｓは、機器１０１によって消費された雪製造液体の量に関するデータを含む。このため、現時点で製造された雪の量が消費された雪製造液体の量に依存するので、状況信号Ｓは、現時点で製造された雪の量を表す。
【００３６】
詳細に述べると、状況信号Ｓは、雪製造機器１０１の供給ユニット１０４（「チャンバ」）によって生成され、プロセシングユニット２に送信される。
【００３７】
さらに、プロセシングユニット２は、状況信号Ｓの各々に含まれているデータを、到達すべき予め定められた単一雪製造値Ｐｆの各々と比較し、予め設定された製造すべき雪の量を表すように、構成されている。さらに詳細に述べると、この予め定められた単一雪製造値Ｐｆは、初期積雪状況から開始して到達すべき「目標」を表す。
【００３８】
さらに、プロセシングユニット２は、この比較に応じて、機器１０１の状態信号Ａを生成するように構成されている。機器１０１の状態信号Ａは、各装置によって現時点で製造された雪の量と、単一雪製造値Ｐｆの各々との間の差を表す。
【００３９】
さらに、プロセシングユニット２は、機器１０１の状態信号Ａの内容に応じて、スキー滑走路の状態信号Ｐを生成するように構成されている。スキー滑走路の状態信号Ｐは、スキー滑走路の現時点の雪状況を表す。
【００４０】
詳細に述べると、プロセシングユニット２は、
−  単一雪製造値Ｐｆの各々よりも大きい量の雪を現時点で製造し終わっている機器１０１の個数を決定し、
−  決定された機器１０１の個数を、予め定められた最小破綻値（ｍｉｎｉｍｕｍ  ｉｎｓｏｌｖｅｎｃｙ  ｖａｌｕｅ）Ｐｆと比較し、
−  この比較に応じて、スキー滑走路の状態信号Ｐを決定する
ように構成されている。
【００４１】
単一雪製造値Ｐｆに一致する雪の製造を満足する機器１０１の個数が最小破綻値よりも小さい場合、スキー滑走路が非常に不十分な積雪状況であることを意味する。
【００４２】
具体的には、単一雪製造値Ｐｆに一致する雪の製造を満足する機器１０１の個数が、最小破綻値よりも大きい場合、スキー滑走路が不十分な積雪状態であることを意味する。
【００４３】
全ての機器１０１が、単一雪製造値Ｐｆに一致する雪の製造を満足する場合にはスキー滑走路が十分な積雪状態であることを意味する。
【００４４】
さらに、機器１０１の状態信号Ａを生成するために、プロセシングユニット２は、状況信号Ｓの各々に含まれるデータを、予め定められた最小雪製造値Ｐｍｉｎの各々と比較するように、構成されている。なお、最小雪製造値Ｐｍｉｎは、予め定められた雪の最小量を表す。また、予め定められた最小雪製造値Ｐｍｉｎが、単一雪製造値Ｐｆよりも小さいということに留意されたい。
【００４５】
図２を参照しながら、さらに詳細に後述するように、最小雪製造値Ｐｍｉｎは、機器１０１に対する第１の区域Ｐ１と第２の区域Ｐ２との間の積雪閾値を表す。最小雪製造値Ｐｍｉｎが、機器１０１の供給ユニット１０４（「チャンバ」）に対する第１の区域Ｐ１と第２の区域Ｐ２との間の積雪閾値を表すことが好ましい。
【００４６】
さらに詳細に述べると、機器１０１の状態信号Ａは、関連した機器１０１によって消費される雪製造液体の量に応じて決定される。さらに詳細に述べると、消費される雪製造液体の量は、超過すべき最小雪製造値Ｐｍｉｎと比較される。
【００４７】
プロセシングユニット２は、この比較に応じて、機器１０１の状態信号Ａを更新するように構成されている。
【００４８】
予め定められた最小雪製造値Ｐｍｉｎが、時間経過に応じて変化する基準曲線によって定義されるということに留意されたい。このため、状況信号Ｓの各々に含まれているデータを最小単一雪製造値Ｐｍｉｎと比較することは、予め定められた時間的瞬間Ｄａで、状況信号Ｓに含まれているデータを参照して周期的に行われる。このとき、最小単一雪製造値Ｐｍｉｎは、予め定められた同じ時間的瞬間Ｄａで参照される。
【００４９】
この点に関して、図２は、スキー滑走路の相対的位置に配置された雪製造機器１０１の雪製造状況を決定可能とするグラフを示す。
【００５０】
さらに詳細に述べると、最小単一雪製造値Ｐｍｉｎに対する曲線が図２に示されており、この曲線は、時間経過において一定の第１のセグメントＳ１と、時間の経過とともに変化する第２のセグメントＳ２と含む。
【００５１】
さらに詳細に述べると、図２は、最小雪製造値Ｐｍｉｎが第２のセグメントＳ２に沿って時間の経過とともに増大するということを示している。換言すれば、最小雪製造値Ｐｍｉｎは、雪製造を終了する、予め設定された時間Ｄｆの接近に応じて増大する。
【００５２】
さらに、２つの点が、現在時間Ｄａにおいて示されている。ここで、これら２つの点は、それぞれ、雪製造機器１０１によって交互に生成され得る、２つの異なる現在雪製造値Ｐａ１、Ｐａ２（第１および第２の現在雪製造値）を表す。図２に示すように、第１の現在雪製造値Ｐａ１は、プラント１００を開くために必要な雪を機器１０１が製造していないということを示す。実際に、第１の現在雪製造値Ｐａ１を表す点は、基準曲線の下方に位置している。
【００５３】
第２の現在雪製造値Ｐａ２は、機器１０１が最小雪製造値Ｐｍｉｎよりも多い量の雪を製造したことを示す。
【００５４】
実際に、第２の現在雪製造値Ｐａ２を表す点は、基準曲線の上方に位置している。
【００５５】
さらに、時間経過に応じた最小雪製造値Ｐｍｉｎのトレンドを定義する基準曲線は、主グラフを、以下の４つの区域に分割する。すなわち、
−  現在雪製造値Ｐａが最小雪製造値Ｐｍｉｎよりも小さい区域を識別する、Ｘ軸と基準曲線との間の第１の区域Ｐ１と、
−  現在雪製造値Ｐａが最小雪製造値Ｐｍｉｎよりも大きい区域を識別する、基準曲線の上方を延びる第２の区域Ｐ２と、
−  雪製造開始時間Ｄｉの前、および、雪製造終了時間Ｄｆの後の期間に画定され、雪製造の開始日付Ｄｉおよび終了日付Ｄｆの外側の期間を識別する、第３の区域Ｐ３と、
−  雪製造の開始時間Ｄｉと終了時間Ｄｆとの間の、到達すべき単一雪製造値を識別する目標ラインよりも大きい、第４の区域Ｐ４である。この目標ラインは基準曲線の上方に配置されている。
【００５６】
第１のセグメントＳ１が最小雪製造閾値を定義するということに留意されたい。有利には、この第１のセグメントＳ１の存在が、雪製造開始時間において、区域Ｐ１を区域Ｐ２から、より明瞭に区別する。これにより、時間Ｄｉにおいて機器によって製造される雪の量が、最小雪製造値Ｐｍｉｎを既に上回っているという（ユーザにとっての）誤解を生じさせることを回避する。
【００５７】
また、スキー滑走路上における雪製造の開始時間Ｄｉと雪製造終了時間Ｄｆとが、ユーザによって予め設定される時間であり、雪製造設備における実際の切替時間とは一致しないことがあることに、留意されたい。
【００５８】
さらに、この機器は、プロセシングユニット２に接続された記憶ユニット４を備える。プロセシングユニット２において、前年に雪製造機器１０１によって製造された雪の量に関するデータが、現在の期間に対応する年間の期間に関連して記憶される。
【００５９】
さらに詳細に述べると、プロセシングユニット２は、機器１０１の状態信号Ａにおける状況信号Ｓに含まれているデータ、および、記憶ユニット４内に含まれているデータに応じて、総合雪製造値に達するための総合残余雪製造時間を計算するように構成されている。なお、総合雪製造値が単一雪製造値Ｐｆの合計によって定義されるということに留意されたい。
【００６０】
さらに、制御ユニットは、状況信号Ｓに含まれるデータと、機器１０１の状態信号Ａに含まれるデータと、記憶ユニット４内に含まれるデータとに応じて、予め定められた単一雪製造値Ｐｆに達するための、各機器１０１に関する残余単一雪製造時間ＴＩＮＮを計算するように構成されている。実際に、スキー滑走路の各区域の現在雪製造状況を知ることによって、および、単一雪製造値Ｐｆに対するスキー滑走路の各区域の雪製造状況の比較に関する情報（スキー滑走路の状態信号Ｐに含まれる情報）を知ることによって、単一雪製造値Ｐｆに達するまでのスキー滑走路のその区域に関する残余雪製造時間ＴＩＮＮを計算することが可能である。
【００６１】
この後に、制御ユニット２は、算出された単一雪製造時間ＴＩＮＮの間で最大の残余単一雪製造時間を識別するように構成されている。総合値に達するための総合残余雪製造時間は、算出された最大残余単一雪製造時間によって定義される。
【００６２】
言い替えると、制御ユニット２は、算出された単一雪製造時間の間で最大の残余単一雪製造時間ＴＩＮＮを識別するように構成されている。実際は、機器１０１が同時に動作するので、総合値に達するための総合残余雪製造時間は、最大の残余単一雪製造時間ＴＩＮＮを有する機器１０１によって定義される。
【００６３】
さらに、プロセシングユニット２が、機器１０１の状態信号Ａに含まれるデータに応じて、および、記憶ユニット４に含まれるデータに応じて、単一雪製造値Ｐｆに達するために製造されるべき残余雪量ＰＲＩＭを計算するように構成されていることに留意されたい。
【００６４】
さらに、プロセシングユニット２は、予め定められた温度範囲内のその機器の現在の雪製造に応じて、残余単一雪製造時間ＴＩＮＮを推定するように構成されている。残余単一雪製造時間ＴＩＮＮは、同一の温度範囲内の現在の期間に対応する期間内において過去に製造された雪の平均量ＰＳＴＯを表す平均履歴流量値ＦＳＴＯで残余雪量ＰＲＩＭの値を除算することと、この除算の結果に、特定の区域を雪で覆うためにその機器１０１が履歴的に要した平均時間に関する予め定められた履歴単一雪製造時間ＴＩＮＮ−ＳＴＯを乗算することとによって、計算される。言い替えると、雪製造時間は、次式によって計算される。
【数１】
2014070891.tif 000003
【００６５】
平均履歴流量値ＦＳＴＯと、履歴平均量ＰＳＴＯと、履歴単一雪製造時間ＴＩＮＮ−ＳＴＯは記憶ユニット４内に記憶されるということに留意されたい。
【００６６】
あるいは、代替策として、記憶ユニット４が、現在期間に対応する年の期間に関する雪製造に関連したデータを含まない場合には、プロセシングユニット２は、予め定められた温度範囲内における最大単一雪製造時間ＴＩＮＮ−ＭＡＸと最小単一雪製造時間ＴＩＮＮ−ＭＩＮとを計算するように構成される。最大単一雪製造時間ＴＩＮＮ−ＭＡＸは、対応する温度範囲内において第１のタイプの雪製造機器１０１によって単位時間中に製造されることが可能な雪の量を表す予め定められた最小流量値ＦＭＩＮで残余雪量値ＰＲＩＭを除算することによって計算される。最小単一雪製造時間ＴＩＮＮ−ＭＩＮは、対応する温度範囲内において第２のタイプの雪製造機器１０１によって製造されることが可能な雪の量を表す予め定められた最大流量値ＦＭＡＸで残余雪量値ＰＲＩＭを除算することによって計算される。したがって、残余単一雪製造時間ＴＩＮＮは、最大単一雪製造時間ＴＩＮＮ−ＭＡＸと最小単一雪製造時間ＴＩＮＮ−ＭＩＮとの間である。
【００６７】
さらに、第１のタイプの機器１０１が第２のタイプの機器１０１の雪製造性能よりも低い雪製造性能を有するということに留意されたい。言い替えると、最大雪製造時間ＴＩＮＮ−ＭＡＸと最小雪製造時間ＴＩＮＮ−ＭＩＮとが、次式を使用して計算される。
【数２】
2014070891.tif 000004
【００６８】
単一雪製造時間ＴＩＮＮは予め定められた温度範囲に応じて計算されるということに留意されたい。実際に、雪製造時間は、機器１０１が動作する周囲温度に応じて変化する。詳細に述べると、制御システム１は、単一雪製造時間ＴＩＮＮがそれに関連して計算されることが可能な４つの異なる温度範囲を有する。
【００６９】
さらに、制御システム１は、
−  総合雪製造値、
−  最小雪製造値Ｐｍｉｎ、
−  単一雪製造値Ｐｆ、
−  最大破綻態値、
−  機器１０１のパラメータ
が事前に記憶されている基本記憶ユニット３を備える。
【００７０】
さらに、基本記憶ユニット３は、各々の雪製造機器に関する起動優先権値を記憶するように構成されている。さらに詳細に述べると、プロセシングユニット２は、機器１０１の状態信号Ａの内容に応じて起動優先権値を変更するように構成されている。さらに詳細に述べると、プロセシングユニット２は、雪製造が不足している機器１０１に応じて起動優先権値を変更するように構成されている。言い替えると、プロセシングユニット２は、単一雪製造値Ｐｆよりも少ない量の雪を製造し終わっている機器１０１に応じて起動優先権値を増大させるように構成されている。機器１０１に関する優先権値が高ければ高いほど、より早くその機器１０１が起動されるということに留意されたい。
【００７１】
さらに、制御システム１は、
−  最終的な総合雪製造値に達するための残余総合雪製造時間、
−  単一雪製造値Ｐｆに達するための残余単一雪製造時間ＴＩＮＮ、
−  機器１０１の状態信号Ａの内容、
−  スキー滑走路の状態信号Ｐの内容、
−  時間経過に応じた最小雪製造値Ｐｍｉｎのトレンドを定義する基準曲線に関するグラフ（図２）、および、
−  雪製造プラント１０１がそれに沿って設備されている地理的マップ
をリアルタイムで表示するための、プロセシングユニット２に接続されているグラフィックスインタフェース５を備える。
【００７２】
このようにして、ユーザは、スキー滑走路を雪で覆うことに関するデータを監視および制御することが可能である。
【００７３】
さらに、システム１が、プロセシングユニット２と基本記憶ユニット３とに接続されている、基本記憶ユニット３内に含まれているデータを変更するように構成されているモジュール６を備える。このモジュール６は、基本記憶ユニット３内に含まれているデータをユーザが手作業で修正することを可能にする。モジュール６は、修正されるデータのグラフィカルな管理のためのグラフィクスインタフェース５に接続されている。
【００７４】
さらに詳細に述べると、システム１は、雪で覆われるべきスキー滑走路に関する天気予測を行う天気予測ユニット７に接続されることが可能である。さらに詳細に述べると、プロセシングユニット２は、天気予測信号Ｍを受信してグラフィクスインタフェース５にこの天気予測信号Ｍを送るように構成されている。言い替えると、グラフィクスインタフェース５は、天気予測信号Ｍに含まれているデータを表示するように構成されている。このようにして、ユーザは、天気予測信号Ｍの内容に応じて１つまたは複数の機器１０１の雪製造の進捗を調整することが可能である。この調整は、例えば、機器１０１のスイッチを切ってからその次にスイッチを入れることによって行われてもよい。例えば、ユーザは、特定の時間期間中に１つまたは複数の機器１０１の雪製造動作を（その機器１０１のスイッチを切ることによって）中断し、天気予測信号Ｍの内容に応じて温度の低下が予測される（その時間期間に続く）時間的瞬間を待機することが可能である。言い替えると、機器１０１は、温度低下が予測される時間的瞬間の後に、再びスイッチを入れられる。実際には、温度がより低い場合に、雪製造に関連したコストも低下させられ、したがって、ユーザが機器１０１を運転することが、より価値がある。
【００７５】
本発明は、複数の雪製造機器１０１を有し、この雪製造機器１０１の各々が、雪製造液体を供給するためのユニット１０４（一般的は「チャンバ」として知られている）と、雪製造液体を引き込むために供給ユニット１０４に連結されている、人工雪を生成するための雪製造装置１０３（一般的には「スノーキャノン」として知られている）とを備える、人工雪製造プラント１００に関する。さらに詳細に述べると、雪製造機器１０１は通信ライン１０２に接続されている。これに加えて、人工雪製造プラント１００は、上述した制御システム１を備える。特に、各々の雪製造機器１０１によって製造される雪の量が、雪製造液体を供給するための関連ユニット１０４内を通過する雪製造液体の量に基づいて計算されるということに留意されたい。
【００７６】
さらに詳細に述べると、状況信号Ｓの内容は、機器１０１によって現時点で消費されている雪製造液体の量によって定義される一方、単一雪製造値Ｐｆと総合雪製造値は、機器１０１に供給されるべき雪製造液体の量によって定義される。
【００７７】
詳細に述べると、雪製造装置１０３（「スノーキャノン」）は、雪製造装置１０３に供給される雪製造液体の流量を計算するように構成されている関連した処理ユニット１０８を備える。さらに詳細に述べると、この処理ユニットｌ０８は、機器１０１に供給される雪製造液体の圧力と、開放および／または閉鎖された流路弁の数とに応じて、雪製造液体の流量を計算する。
【００７８】
このようにして、処理ユニット１０８は状況信号Ｓを生成し、プロセシングユニット２は状況信号Ｓを受信する。言い替えると、処理ユニット１０８は、プロセシングユニット２に送られるべき状況信号Ｓを生成するように構成されている。
【００７９】
その次に、プロセシングユニット２は、状況信号Ｓの内容に応じて、消費される雪製造液体の体積を計算するように構成されている。さらに詳細に述べると、プロセシングユニット２は、時間経過に応じた雪製造液体の流量の数学的積分によって、消費された雪製造液体の量を計算するように構成されている。このようにして、プロセシングユニット２は、１つまたは複数の機器１０１によって消費される雪製造液体の量（体積として）を決定することが可能である。
【００８０】
いずれの場合にも、状況信号Ｓが、機器１０１内を通過する雪製造液体の流量に関するデータを含み、したがって、機器１０１によって消費される液体の量をすでに表すということに留意されたい。
【００８１】
図１は、雪製造装置１０３の処理ユニット１０８が通信ライン１０２に接続されていることを示す。
【００８２】
本発明は、予め設定された目的を達成する。
【００８３】
実際に、本発明は、各チャンバによって現時点で消費されている雪製造液体の量の計算によって、スキー滑走路の積雪状況が監視されることを可能にする。さらに、本発明は、現時点で消費されている雪製造液体の量と、スキー滑走路を公開するのに十分な積雪状況に到達するために消費されるべき雪製造液体の「目標」レベルとの間のリアルタイムの比較によって、スキー滑走路の積雪時間が推定されることを可能にする。さらに詳細に述べると、この「目標」レベルは、過去において消費された雪製造液体の量に応じて決定される。
【００８４】
最後に、本発明は、予め定められた最小レベルよりも低い積雪レベルを有するスキー滑走路の地理的区域が識別されることを可能にする。実際に、制御システムは、単一の雪製造機器によって製造される雪の量を監視し、製造された人工雪の最小要件を満たさない雪製造機器を監視することを可能にする。
【００８５】
さらに、本発明が製造が比較的に容易であるということと、本発明の具体化に関連したコストがあまり高くはないということとに留意されたい。
【符号の説明】
【００８６】
１    制御システム
２    プロセシングユニット
５    グラフィクスインタフェース
７    天気予測ユニット
１００    人工雪製造プラント
１０１    雪製造機器
１０２    通信ライン
１０３    雪製造装置
１０４    雪製造液体供給ユニット
１０５    導管
１０８    処理ユニット
【図１】
2014070891.tif 000005
【図２】
2014070891.tif 000006